(57)【特許請求の範囲】
【請求項１】
横架材の前面に取り付けられた機器から導出された配管を前記横架材の出隅コーナーの近傍で覆う出隅コーナー用化粧カバーであって、
前記横架材に取り付けられる取付ベースと、この取付ベースに着脱自在に取り付けられるカバー片とから構成され、
前記カバー片は、前記配管を導入する配管導入面を備えるとともに前記横架材の前面に対向する第１開口部と、前記配管を導出する配管導出面を備えるとともに前記横架材の下面に対向する第２開口部とを有する側面視略Ｌ字形に形成され、
前記第１開口部および前記第２開口部は、前記配管導入面と前記配管導出面とが互いに交差するように形成され、
前記配管を覆うためのスライド片が、前記第１開口部の前記配管導入面から外部へ所定のストロークだけ突出するとともに、前記カバー片の内部に収容され得るように、当該配管導入面と直交する方向に移動自在に設けられ、
前記取付ベースに把持片が設けられるとともに、前記スライド片に被把持片が設けられ、前記スライド片は、前記取付ベースに移動自在になるように、かつ、前記被把持片が前記把持片に把持されることにより、前記取付ベースに任意の位置で保持されるように構成されていることを特徴とする出隅コーナー用化粧カバー。
【請求項２】
横架材の前面に取り付けられた機器から導出された配管を前記横架材の出隅コーナーの近傍で覆う出隅コーナー用化粧カバーであって、
前記横架材に取り付けられる取付ベースと、この取付ベースに着脱自在に取り付けられるカバー片とから構成され、
前記カバー片は、前記配管を導入する配管導入面を備えるとともに前記横架材の前面に対向する第２開口部と、前記配管を導出する配管導出面を備えるとともに前記横架材の下面に対向する第１開口部とを有する側面視略Ｌ字形に形成され、
前記第１開口部および前記第２開口部は、前記配管導入面と前記配管導出面とが互いに交差するように形成され、
前記配管を覆うためのスライド片が、前記第１開口部の前記配管導出面から外部へ所定のストロークだけ突出するとともに、前記カバー片の内部に収容され得るように、当該配管導出面と直交する方向に移動自在に設けられ、
前記取付ベースに把持片が設けられるとともに、前記スライド片に被把持片が設けられ、前記スライド片は、前記取付ベースに移動自在になるように、かつ、前記被把持片が前記把持片に把持されることにより、前記取付ベースに任意の位置で保持されるように構成されていることを特徴とする出隅コーナー用化粧カバー。
【請求項３】
前記スライド片は、当該スライド片の脱落を防ぐためのストッパを有していることを特徴とする請求項１または２に記載の出隅コーナー用化粧カバー。
【請求項４】
前記取付ベースは、当該取付ベースを前記横架材の出隅コーナーに位置決めするための位置決めリブを有していることを特徴とする請求項１乃至３のいずれかに記載の出隅コーナー用化粧カバー。
【発明の詳細な説明】
【技術分野】
【０００１】
本発明は、例えば、空気調和装置（エアコン）の室内機などの機器を建物の梁、桁などの横架材に据え付ける際に、その横架材の出隅コーナーに取り付けるのに好適な出隅コーナー用化粧カバーに関するものである。
【背景技術】
【０００２】
一般に、建物に空気調和装置を設置する際には、建物の内部（室内）に室内機を据え付けるとともに、建物の外部（室外）に室外機を据え付ける。そして、室内機と室外機との間に配管（冷媒配管、ドレンホース、電線など）を配設し、この配管を覆って保護するように配管保護カバーを取り付ける（例えば、特許文献１参照）。
【０００３】
そして、図９に示すように、建物の横架材１９の前面１９ａに室内機１１を据え付ける際には、この室内機１１の下面１１ａから導出された配管１８を保護するため、複数の配管保護カバーとして、導出部用化粧カバー１２、第１配管ダクト１３、出隅コーナー用化粧カバー１、第２配管ダクト１５、入隅コーナー用化粧カバー１６、第３配管ダクト１７を横架材１９および内壁Ｗに沿う形で取り付けて配管１８を覆っている。ここで、室内機１１の下側には、導出部用化粧カバー１２、第１配管ダクト１３および出隅コーナー用化粧カバー１が順に連結されている。また、出隅コーナー用化粧カバー１の後方には、第２配管ダクト１５および入隅コーナー用化粧カバー１６が順に連結されている。さらに、この入隅コーナー用化粧カバー１６の下側には、第３配管ダクト１７が連結されている。
【先行技術文献】
【特許文献】
【０００４】
【特許文献１】実開昭６２−４０３９６号公報（第７図）
【発明の概要】
【発明が解決しようとする課題】
【０００５】
しかしながら、これでは、室内機１１の据付現場の状況によって、室内機１１の下面１１ａから横架材１９の出隅コーナー１９ｃまでの上下方向の距離（室内機１１の下面１１ａと横架材１９の下面１９ｂとの高さの差）が変化するため、それに対応した導出部用化粧カバー１２および第１配管ダクト１３を据付現場ごとに用意しなければならない。したがって、長尺体の配管保護カバーを据付現場に合わせて切断加工する必要が生じるため、手間がかかるばかりか、特に配管保護カバーを短く切断加工する場合には、切断面が曲がったり変形したりして加工精度が低下する恐れがある。その結果、配管保護作業に長時間を要するという課題があった。さらに、導出部用化粧カバー１２、第１配管ダクト１３などの配管保護カバーの在庫管理が煩雑になるという課題もあった。
【０００６】
本発明は、このような事情に鑑み、配管保護作業の所要時間を短縮するとともに、配管保護カバーの在庫管理を簡略化することが可能な出隅コーナー用化粧カバーを提供することを目的とする。
【課題を解決するための手段】
【０００７】
かかる目的を達成するため、請求項１に記載の発明は、横架材の前面に取り付けられた機器から導出された配管を前記横架材の出隅コーナーの近傍で覆う出隅コーナー用化粧カバーであって、前記横架材に取り付けられる取付ベースと、この取付ベースに着脱自在に取り付けられるカバー片とから構成され、前記カバー片は、前記配管を導入する配管導入面を備えるとともに前記横架材の前面に対向する第１開口部と、前記配管を導出する配管導出面を備えるとともに前記横架材の下面に対向する第２開口部とを有する側面視略Ｌ字形に形成され、前記第１開口部および前記第２開口部は、前記配管導入面と前記配管導出面とが互いに交差するように形成され、前記配管を覆うためのスライド片が、前記第１開口部の前記配管導入面から外部へ所定のストロークだけ突出するとともに、前記カバー片の内部に収容され得るように、当該配管導入面と直交する方向に移動自在に設けられ、前記取付ベースに把持片が設けられるとともに、前記スライド片に被把持片が設けられ、前記スライド片は、前記取付ベースに移動自在になるように、かつ、前記被把持片が前記把持片に把持されることにより、前記取付ベースに任意の位置で保持されるように構成されている出隅コーナー用化粧カバーとしたことを特徴とする。
【０００８】
また、請求項２に記載の発明は、横架材の前面に取り付けられた機器から導出された配管を前記横架材の出隅コーナーの近傍で覆う出隅コーナー用化粧カバーであって、前記横架材に取り付けられる取付ベースと、この取付ベースに着脱自在に取り付けられるカバー片とから構成され、前記カバー片は、前記配管を導入する配管導入面を備えるとともに前記横架材の前面に対向する第２開口部と、前記配管を導出する配管導出面を備えるとともに前記横架材の下面に対向する第１開口部とを有する側面視略Ｌ字形に形成され、前記第１開口部および前記第２開口部は、前記配管導入面と前記配管導出面とが互いに交差するように形成され、前記配管を覆うためのスライド片が、前記第１開口部の前記配管導出面から外部へ所定のストロークだけ突出するとともに、前記カバー片の内部に収容され得るように、当該配管導出面と直交する方向に移動自在に設けられ、前記取付ベースに把持片が設けられるとともに、前記スライド片に被把持片が設けられ、前記スライド片は、前記取付ベースに移動自在になるように、かつ、前記被把持片が前記把持片に把持されることにより、前記取付ベースに任意の位置で保持されるように構成されている出隅コーナー用化粧カバーとしたことを特徴とする。
【００１０】
また、請求項３に記載の発明は、請求項１または２に記載の構成に加え、前記スライド片は、当該スライド片の脱落を防ぐためのストッパを有していることを特徴とする。
【００１１】
また、請求項４に記載の発明は、請求項１乃至３のいずれかに記載の構成に加え、前記取付ベースは、当該取付ベースを前記横架材の出隅コーナーに位置決めするための位置決めリブを有していることを特徴とする。
【発明の効果】
【００１２】
請求項１に記載の発明によれば、スライド片が配管導入面と直交する方向に移動自在に設けられている。したがって、機器の据付現場の状況によって、機器の下面から横架材の出隅コーナーまでの上下方向の距離が変化しても、この距離に応じて適宜スライド片をカバー片から外部へ突出させることにより、機器とカバー片との隙間を覆うための配管保護カバーを別途用意しなくても、機器の据付に付随する配管保護作業を支障なく行うことができる。その結果、長尺体の配管保護カバーの切断加工が不要となるため、配管保護作業の所要時間を短縮するとともに、配管保護カバーの在庫管理を簡略化することが可能となる。
また、スライド片が取付ベースに任意の位置で保持されるように構成されているので、スライド片が自重などの影響を受けて所定の位置からずれてしまう事態を未然に防止することができる。
【００１３】
請求項２に記載の発明によれば、スライド片が配管導出面と直交する方向に移動自在に設けられている。したがって、横架材の奥行きが変化しても、この奥行きに応じて適宜スライド片をカバー片から外部へ突出させることにより、入隅コーナー用化粧カバーとカバー片との隙間を覆うための配管保護カバーを別途用意しなくても、機器の据付に付随する配管保護作業を支障なく行うことができる。その結果、長尺体の配管保護カバーの切断加工が不要となるため、配管保護作業の所要時間を短縮するとともに、配管保護カバーの在庫管理を簡略化することが可能となる。
また、スライド片が取付ベースに任意の位置で保持されるように構成されているので、スライド片が自重などの影響を受けて所定の位置からずれてしまう事態を未然に防止することができる。
【００１５】
請求項３に記載の発明によれば、スライド片がストッパを有しているので、スライド片の脱落をストッパによって防ぐことが可能となる。
【００１６】
請求項４に記載の発明によれば、取付ベースが、取付ベースを横架材の出隅コーナーに位置決めするための位置決めリブを有しているので、取付ベースの位置決めを迅速かつ正確に行うことができる。
【図面の簡単な説明】
【００１７】
【図１】本発明の実施の形態１に係る出隅コーナー用化粧カバーを示す図であって、（ａ）はその組立斜視図、（ｂ）はその分解斜視図、（ｃ）は取付ベースによるスライド片の保持状態を示す水平断面図である。
【図２】図１に示す出隅コーナー用化粧カバーにおいて、スライド片が後退してカバー片内に収容された状態を示す図であって、（ａ）はその正面図、（ｂ）はその左側面図、（ｃ）は（ｂ）のＡ−Ａ断面図である。
【図３】図１に示す出隅コーナー用化粧カバーにおいて、スライド片が突出した状態を示す図であって、（ａ）はその正面図、（ｂ）はその左側面図、（ｃ）は（ｂ）のＢ−Ｂ断面図である。
【図４】図１に示す出隅コーナー用化粧カバーの取付ベースを示す図であって、（ａ）はその正面図、（ｂ）はその左側面図、（ｃ）はその右側面図、（ｄ）はその平面図、（ｅ）はその斜視図である。
【図５】図１に示す出隅コーナー用化粧カバーのカバー片を示す図であって、（ａ）はその正面図、（ｂ）はその底面図、（ｃ）はその右側面図、（ｄ）は（ｃ）のＣ−Ｃ断面図である。
【図６】図１に示す出隅コーナー用化粧カバーのスライド片を示す図であって、（ａ）はその正面図、（ｂ）はその底面図、（ｃ）はその右側面図、（ｄ）は（ｃ）のＤ−Ｄ断面図である。
【図７】図１に示す出隅コーナー用化粧カバーの使用状態を示す斜視図である。
【図８】図１に示す出隅コーナー用化粧カバーの使用状態を示す縦断面図である。
【図９】従来の出隅コーナー用化粧カバーの使用状態を示す縦断面図である。
【発明を実施するための形態】
【００１８】
以下、本発明の実施の形態について説明する。
［発明の実施の形態１］
【００１９】
図１乃至図８には、本発明の実施の形態１を示す。
【００２０】
実施の形態１に係る出隅コーナー用化粧カバー１は、図７および図８に示すように、横架材１９の前面１９ａに取り付けられた室内機１１の下面１１ａから導出された配管１８を横架材１９の出隅コーナー１９ｃの近傍で覆うものであり、合成樹脂等から成形されている。この合成樹脂としては、例えば、ＡＥＳ樹脂、ＡＢＳ樹脂、ＡＳＡ樹脂、ＡＣＳ樹脂、ポリエチレン、ポリプロピレン、ポリカーボネート、ポリ塩化ビニル（ＰＶＣ）などが挙げられる。この出隅コーナー用化粧カバー１は、図１乃至図３に示すように、略コ字断面形状の取付ベース２と、略コ字断面形状のカバー片３と、略コ字断面形状のスライド片４とから構成されている。
【００２１】
取付ベース２は、図４に示すように、平板状の底板２ａを有しており、底板２ａのほぼ中央部には、円形のねじ孔２ｂが形成されている。また、底板２ａの左右両端には、一対の立ち上がり片２ｃが互いに平行に立設されている。各立ち上がり片２ｃにはそれぞれ、その基部に係止溝２ｅが形成されているとともに、略コ字断面形状の把持片２ｆが添設されている。さらに、底板２ａには、取付ベース２を横架材１９の出隅コーナー１９ｃに位置決めするための２個の位置決めリブ２ｄが一体に形成されている。
【００２２】
カバー片３は、図５に示すように、配管１８を導入する配管導入面Ｐ１を備えた第１開口部３ａと、配管１８を導出する配管導出面Ｐ２を備えた第２開口部３ｂとを有している。ここで、第１開口部３ａおよび第２開口部３ｂは、配管導入面Ｐ１と配管導出面Ｐ２とが互いに直交するように形成されている。また、第２開口部３ｂの内面には、一対の係止爪３ｃが一体に形成されている。
【００２３】
スライド片４は、図６に示すように、略コ字断面形状のスライド本体４ａを有しており、スライド本体４ａの両端にはそれぞれ、Ｌ字断面形状の被把持片４ｃが一体に形成されている。さらに、各被把持片４ｃの両端にはそれぞれ、一対のストッパ４ｂが一体に形成されている。
【００２４】
そして、カバー片３は、図１に示すように、取付ベース２に爪係止方式で着脱自在に取り付けられている。すなわち、図１（ａ）に示すように、カバー片３の一対の係止爪３ｃが取付ベース２の一対の係止溝２ｅに係合することにより、取付ベース２とカバー片３とが互いに連結された状態になるとともに、図１（ｂ）に示すように、取付ベース２の一対の係止溝２ｅに対するカバー片３の一対の係止爪３ｃの係合が解除されることにより、取付ベース２とカバー片３との連結が解除された状態になる。
【００２５】
また、スライド片４は、図１乃至図３に示すように、取付ベース２に対して、カバー片３の第１開口部３ａの配管導入面Ｐ１から外部へ所定のストロークＬ１だけ突出するように配管導入面Ｐ１と直交する方向（矢印Ｍ、Ｎ方向）に移動自在に、かつ、被把持片４ｃが把持片２ｆに弾性的に把持されることにより、取付ベース２に任意の位置で保持されるように構成されている。ここで、スライド片４は、図２および図３に示すように、スライド本体４ａがカバー片３の第１開口部３ａに沿って移動するように構成されている。
【００２６】
次に、この出隅コーナー用化粧カバー１の使用方法について説明する。
【００２７】
すなわち、建物の横架材１９の前面１９ａに空気調和装置の室内機１１を据え付ける際には、この室内機１１の下面１１ａから導出された配管１８を保護するため、横架材１９および内壁Ｗに沿う形で配管保護カバーを取り付けて配管１８を覆っている。ここで、図７および図８に示すように、横架材１９の高さが低いため、室内機１１の下面１１ａが横架材１９の下面１９ｂより少しだけ上方に位置している場合には、この配管保護カバーとして、導出部用化粧カバー１２、出隅コーナー用化粧カバー１、第２配管ダクト１５、入隅コーナー用化粧カバー１６、第３配管ダクト１７を用いる。このとき、出隅コーナー用化粧カバー１のカバー片３と導出部用化粧カバー１２との間に少し隙間が生じるため、出隅コーナー用化粧カバー１は、次に述べるとおり、この隙間に応じてスライド片４を所定の距離だけ上向きに突出させた状態で取り付ける。
【００２８】
なお、出隅コーナー用化粧カバー１以外の配管保護カバー（導出部用化粧カバー１２、第２配管ダクト１５、入隅コーナー用化粧カバー１６、第３配管ダクト１７）の施工については、公知の手順に従って行われるため、ここではその説明を省略する。
【００２９】
まず、ベース取付工程で、図８に示すように、横架材１９の下面１９ｂで出隅コーナー１９ｃの近傍に取付ベース２をねじ（図示せず）で固定する。それには、取付ベース２の底板２ａを横架材１９の下面１９ｂに宛い、この状態で、取付ベース２のねじ孔２ｂにねじを挿通して横架材１９の下面１９ｂにねじ込む。
【００３０】
このとき、取付ベース２には、上述したとおり、位置決めリブ２ｄが設けられているので、この位置決めリブ２ｄを横架材１９の出隅コーナー１９ｃに当てることにより、取付ベース２を所定の位置に正確かつ迅速に取り付けることができる。
【００３１】
その後、配管工程に移行し、この取付ベース２に沿って配管１８を配設する。
【００３２】
次いで、スライド取付工程に移行し、この配管１８を覆うように、取付ベース２にスライド片４を取り付ける。それには、取付ベース２の前方からスライド片４を近付けて取付ベース２に押し当てる。すると、図１（ｃ）に示すように、スライド片４の一対の被把持片４ｃが取付ベース２の一対の把持片２ｆに嵌合して弾性的に把持され、スライド片４が取付ベース２に移動自在に取り付けられた状態となる。そして、出隅コーナー用化粧カバー１のカバー片３と導出部用化粧カバー１２との間隔に応じて、スライド片４を所定の距離だけ室内機１１側へ上昇させる。このとき、スライド片４は、上述したとおり、取付ベース２に任意の位置で保持されるように構成されているので、スライド片４が自重などの影響を受けて所定の位置からずれてしまう事態を未然に防止することができる。しかも、スライド片４は、上述したとおり、各被把持片４ｃの両端に一対のストッパ４ｂが設けられているので、スライド片４の脱落をストッパ４ｂによって防ぐことができる。
【００３３】
最後に、カバー取付工程に移行し、このスライド片４および配管１８を覆うように、取付ベース２にカバー片３を取り付ける。それには、取付ベース２およびスライド片４の下方からカバー片３を近付けて取付ベース２に押し当てる。すると、カバー片３の一対の係止爪３ｃが取付ベース２の一対の係止溝２ｅに係合し、カバー片３が取付ベース２に取り付けられた状態となる。
【００３４】
このとき、取付ベース２は、上述したとおり、横架材１９の出隅コーナー１９ｃに対して所定の位置に正確に取り付けられているので、カバー本体３１を所定の位置に設置し、ひいては出隅コーナー用化粧カバー１を正確かつ迅速に取り付けることができる。
【００３５】
ここで、出隅コーナー用化粧カバー１の施工が終了する。
【００３６】
このように、出隅コーナー用化粧カバー１は、上述したとおり、スライド片４が配管導入面Ｐ１と直交する方向に移動自在に設けられているので、室内機１１の据付現場の状況によって、室内機１１の下面１１ａから横架材１９の出隅コーナー１９ｃまでの上下方向の距離が変化し、それに伴って出隅コーナー用化粧カバー１のカバー片３と導出部用化粧カバー１２との隙間が変化しても、この隙間に応じて適宜スライド片４をカバー片３から外部へ突出させることにより、室内機１１とカバー片３との隙間を覆うための配管保護カバーを別途用意しなくても、室内機１１の据付に付随する配管保護作業を支障なく行うことができる。その結果、長尺体の配管保護カバーの切断加工が不要となるため、配管保護作業の所要時間を短縮するとともに、配管保護カバーの在庫管理を簡略化することが可能となる。
【００３７】
しかも、この出隅コーナー用化粧カバー１は、上述したとおり、スライド片４とカバー片３の両方が取付ベース２に取り付けられており、この取付ベース２が横架材１９の出隅コーナー１９ｃに正確に取り付けられているので、出隅コーナー用化粧カバー１全体の位置精度を高めることができる。
【００３８】
また、スライド片４は、上述したとおり、スライド本体４ａがカバー片３の第１開口部３ａに沿って移動するように構成されている。そのため、スライド片４の突出量の如何を問わず、カバー片３とスライド片４との間に大きな隙間が生じる事態を回避し、出隅コーナー用化粧カバー１の見栄えを常に良くすることができる。
［発明のその他の実施の形態］
【００３９】
なお、上述した実施の形態１では、室内機１１の据付現場の状況によって、室内機１１の下面１１ａから横架材１９の出隅コーナー１９ｃまでの上下方向の距離が変化する場合であっても、この出隅コーナー用化粧カバー１を用いれば配管保護作業を支障なく行うことができることについて説明した。同様に、横架材１９の出隅コーナー１９ｃから内壁Ｗまでの水平方向の距離が変化する場合であっても、この出隅コーナー用化粧カバー１を用いれば配管保護作業を支障なく行うことができる。
【００４０】
すなわち、横架材１９の奥行きが短いため、出隅コーナー用化粧カバー１と入隅コーナー用化粧カバー１６とがあまり離れていない場合には、カバー片３の第１開口部３ａの配管導入面Ｐ１を配管導出面Ｐ２に変更すると同時に、カバー片３の第２開口部３ｂの配管導出面Ｐ２を配管導入面Ｐ１に変更した上で、第２配管ダクト１５を用いる代わりに、出隅コーナー用化粧カバー１のカバー片３と入隅コーナー用化粧カバー１６との隙間に応じて出隅コーナー用化粧カバー１のスライド片４を所定の距離だけ横向きに突出させる。
【００４１】
この場合、出隅コーナー用化粧カバー１の施工手順は、上述した実施の形態１の手順と基本的には同じである。但し、ベース取付工程においては、横架材１９の下面１９ｂではなく前面１９ａで出隅コーナー１９ｃの近傍に取付ベース２をねじで固定する。また、スライド取付工程においては、取付ベース２の前方ではなく下方からスライド片４を近付けて取付ベース２に押し当てることにより、取付ベース２にスライド片４を取り付け、横架材１９の奥行き（出隅コーナー用化粧カバー１のカバー片３と入隅コーナー用化粧カバー１６との隙間）に応じて、スライド片４を所定の距離だけ入隅コーナー用化粧カバー１６側へ水平移動させる。さらに、カバー取付工程においては、取付ベース２およびスライド片４の下方ではなく前方からカバー片３を近付けて取付ベース２に押し当てることにより、取付ベース２にカバー片３を取り付ける。
【００４２】
したがって、この場合も、上述した実施の形態１と同様の効果を奏する。
【００４３】
また、上述した実施の形態１では、図５に示すように、第１開口部３ａが第２開口部３ｂから図５（ａ）下方に突出している場合について説明したが、第１開口部３ａは必ずしも突出させる必要はない。
【００４４】
また、上述した実施の形態１では、図２に示すように、スライド片４がカバー片３内に収容される出隅コーナー用化粧カバー１について説明したが、このスライド片４を複数段の折り畳み式にすることにより、カバー片３のサイズの大小にかかわらず、スライド片４のストロークＬ１を大幅に増やすことも可能である。
【００４５】
また、上述した実施の形態１では、取付ベース２にスライド片４が設けられている場合について説明したが、このスライド片４は、カバー片３に設けるようにしても構わない。この場合、横架材１９に取付ベース２を取り付けた後、スライド片４が設けられたカバー片３をこの取付ベース２に取り付けるという取付手順を採用することにより、出隅コーナー用化粧カバー１の施工を円滑に行うことができる。
【００４６】
また、上述した実施の形態１では、第１開口部３ａの配管導入面Ｐ１と第２開口部３ｂの配管導出面Ｐ２とが互いに直交しているカバー片３について説明した。しかし、配管導入面Ｐ１と配管導出面Ｐ２とが、必ずしも９０°で交差する必要はなく、９０°以外の角度（例えば、８０°、１２０°など）で交差しても構わない。
【００４７】
また、上述した実施の形態１では、２個の位置決めリブ２ｄを有する取付ベース２について説明したが、この位置決めリブ２ｄの個数は２個に限るわけではない。
【００４８】
また、上述した実施の形態１では、室内機１１の下面から下向きに配管１８を導出する場合について説明した。しかし、室内機１１の側面から横向きに配管１８を導出した後、この配管１８を９０°曲げて下向きに導く場合に本発明を同様に適用することも可能である。
【００４９】
さらに、上述した実施の形態１では、空気調和装置の室内機６に出隅コーナー用化粧カバー１を取り付ける場合について説明した。しかし、空気調和装置の室内機１１以外の機器（例えば、給水器、給湯器など）に出隅コーナー用化粧カバー１を取り付ける場合に本発明を同様に適用することも可能である。
【産業上の利用可能性】
【００５０】
本発明は、梁、桁、壁面の角部、柱の段差部その他の横架材の前面に取り付けられた機器から導出された配管を覆う出隅コーナー用化粧カバーに広く適用することができる。
【符号の説明】
【００５１】
１……出隅コーナー用化粧カバー
２……取付ベース
２ｄ……位置決めリブ
２ｆ……把持片
３……カバー片
３ａ……第１開口部
３ｂ……第２開口部
４……スライド片
４ａ……スライド本体
４ｂ……ストッパ
４ｃ……被把持片
１１……室内機（機器）
１８……配管
１９……横架材
１９ａ……前面
１９ｂ……下面
１９ｃ……出隅コーナー
Ｌ１……ストローク
Ｐ１……配管導入面
Ｐ２……配管導出面
【図１】
0005922479.tif 000002
【図２】
0005922479.tif 000003
【図３】
0005922479.tif 000004
【図４】
0005922479.tif 000005
【図５】
0005922479.tif 000006
【図６】
0005922479.tif 000007
【図７】
0005922479.tif 000008
【図８】
0005922479.tif 000009
【図９】
0005922479.tif 000010